(57)【要約】【課題】  振動等の外乱を受けた場合であっても、＋端子が乾電池の＋電極と安定した接触を得ることができ、また、−端子が乾電池の装填の際に必要以上に歪められ又は繰返し使用により経たることのない電池端子を提供すること。【解決手段】  電池ホルダ４の電池収容部の両側に取付けられ、かつ、＋端子１１と−端子１２が１つの基板に所定の幅を隔てて形成された電池端子であって、＋端子は、基板１１の表面側に突出して円錐台状の凸部１２ａを形成すると共に、該凸部の表面側から裏面側に窪ませて乾電池の＋極の円周部が接触する接触部１２ｃを形成したものであり、また、−端子は、前記基板から表面側に折曲して短冊状の突片１３ａを形成すると共に、途中に乾電池の−極と接触する接触部１３ｂを形成し、さらに、該接触部からフリー端に対してスリット１３ｄを形成した電池端子である。【選択図】      図１
2005093363.tif 000002
【特許請求の範囲】
【請求項１】
電池ホルダの電池収容部の両側に取付けられ、かつ、＋端子と−端子が１つの基板に所定の幅を隔てて形成された電池端子であって、＋端子は、基板の表面側に突出して円錐台状の凸部を形成すると共に、該凸部の表面側から裏面側に窪ませて乾電池の＋極の円周部が接触する接触部を形成したものであり、また、−端子は、前記基板から表面側に折曲して短冊状の突片を形成すると共に、途中に乾電池の−極と接触する接触部を形成し、さらに、該接触部からフリー端に対してスリットを形成したことを特徴とする電池端子。
【請求項２】
電池ホルダの電池収容部に取付けられる＋の電池端子であって、基板の表面側に突出して円錐台状の凸部を形成すると共に、該凸部の表面側から裏面側に窪ませて乾電池の＋極の円周部が接触する接触部を形成したことを特徴とする電池端子。
【請求項３】
電池ホルダの電池収容部に取付けられる−の電池端子であって、基板から表面側に折曲して短冊状の突片を形成すると共に、途中に乾電池の−極と接触する接触部を形成し、さらに、該接触部からフリー端に対してスリットを形成したことを特徴とする電池端子。
【請求項４】
前記短冊状の突片のフリー端に、前記基板と直交する状態でストッパ部を形成したことを特徴とする請求項１または請求項３に記載の電池端子。
【発明の詳細な説明】
【技術分野】
【０００１】
本発明は、電池ホルダの電池収容部に取付けられ、収納される乾電池の各電極と接触させて玩具等におけるモータ等の負荷に通電させるための電池端子に関するものである。
【背景技術】
【０００２】
一般に、ラジオコントロールを代表する玩具等に設けられる電池ホルダには、乾電池を収納する電池収納部があり、その両側には乾電池を収納した状態で乾電池の各電極と接触する電池端子が取付けられている。
【０００３】
以下、複数本の乾電池を収納する場合を例に、従来の電池端子について説明する。従来から用いられている電池端子としては、複数個の乾電池を並列的に配置して直列接続する場合には、一枚の金属板に＋端子と−端子とを一体に形成したものが知られている。
【０００４】
詳しく説明すると、この電池端子は、プレス加工によって導電性金属板（銅金属板）の裏面側から凸状に突出させた＋端子と、金属板の一辺から突設させた短冊状の突起を表面側に折り曲げて形成した舌片状の−端子とから形成されている。そして、このような構成からなる電池端子を、電池ホルダの電池収容部の両側に取付け、乾電池を収納することで電池端子としての機能を発揮するものである。
【特許文献１】実開平６−１１２５７号公報
【発明の開示】
【発明が解決しようとする課題】
【０００５】
ところで、電池端子の＋端子の凸状表面は、乾電池の＋極表面と面接触させるべく平坦に形成されており、一方、乾電池によっては＋極の表面に突起が設けられているものがあるが、このような乾電池の場合には、乾電池の＋極と電池端子の＋電極とが点接触となる。
【０００６】
また、乾電池の＋極として平坦に形成されたものもあるが、電池端子の＋端子を形成する際のプレス加工の精度によって平坦面にすることが難しく、このような場合にも乾電池の＋極と電池端子の＋電極とは点接触となる。このような点接触状態であると接触抵抗が高くなるといった問題が発生すると共に、振動等の外乱を受けると乾電池の＋極と電池端子の＋端子とにずれが生じ、安定した接触を得ることができないという問題を有していた。
【０００７】
一方、−端子は、短冊状の突起を表面側に折り曲げて弾性力を付与することにより、電池端子間に収納される乾電池に対して圧力を維持しているが、乾電池を収納する際に−端子が必要以上に歪められたり、繰返しの使用により−端子にヘタリが生じ弾性力が弱まる場合がある。このような場合には、電池端子間に収納される乾電池に対して圧力を維持できず、安定した接触を得ることができなくなるという課題を有していた。
【０００８】
そこで、本発明は、点接触から線接触とすることで振動等の外乱を受けた場合であっても、電池端子の＋端子が乾電池の＋極とが線接触となって安定した接触を得ることができ、また、−端子が複数に分離されているので乾電池との接触が確実となり、かつ、収納の際に必要以上に歪められることがないと共に、繰返しの使用によりヘタルことのない電池端子を提供することを目的とする。
【課題を解決するための手段】
【０００９】
本発明の電池端子は前記した目的を達成せんとするもので、その請求項１の手段は、電池ホルダの電池収容部の両側に取付けられ、かつ、＋端子と−端子が１つの基板に所定の幅を隔てて形成された電池端子であって、＋端子は、基板の表面側に突出して円錐台状の凸部を形成すると共に、該凸部の表面側から裏面側に窪ませて乾電池の＋極の円周部が接触する接触部を形成したものであり、また、−端子は、前記基板から表面側に折曲して短冊状の突片を形成すると共に、途中に乾電池の−極と接触する接触部を形成し、さらに、該接触部からフリー端に対してスリットを形成したものである。
【００１０】
請求項２の手段は、電池ホルダの電池収容部に取付けられる＋の電池端子であって、基板の表面側に突出して円錐台状の凸部を形成すると共に、該凸部の表面側から裏面側に窪ませて乾電池の＋極の円周部が接触する接触部を形成したものである。
【００１１】
請求項３の手段は、電池ホルダの電池収容部に取付けられる−の電池端子であって、基板から表面側に折曲して短冊状の突片を形成すると共に、途中に乾電池の−極と接触する接触部を形成し、さらに、該接触部からフリー端に対してスリットを形成したものである。
【００１２】
請求項４の手段は、前記請求項１または３において、前記短冊状の突片のフリー端に、前記基板と直交する状態でストッパ部を形成したことを特徴とする。
【発明の効果】
【００１３】
以上のような構成からなる電池端子を使用すると、電池端子の＋電極と乾電池の＋極とが線接触状態となることで接触抵抗が少なくなり、かつ、振動等の外乱を受けた場合であっても、電池端子の−端子が複数に分離されているので、乾電池の＋極との接触状態が確実に行われて安定した接触を得ることができる。また、電池端子の−端子が乾電池の装填の際に必要以上に歪められることがなく、また、繰返しの使用によってもヘタルことがないという効果を奏する。
【発明を実施するための最良の形態】
【００１４】
以下、本発明に係る電池端子の実施例を図１乃至図７を用いて説明する。なお、本実施例においては、少なくとも２個の乾電池を電池ホルダに対して並列的に配置し装填したラジオコントロール玩具を例に説明する。
【００１５】
ここで、図１は＋電極と−電極とが形成された電池端子の正面図、図２は図１のＡ−Ａ断面図、図３は電池端子の側面図、図４は＋電極のみからなる電池端子の斜視図、図５は−電極のみからなる電池端子の斜視図、図６は電池端子を取付ける電池ホルダの要部分解斜視図、図７は電池端子が取付けられる電池ホルダを有するラジオコントロール玩具の平面図を示している。
【００１６】
まず、本発明に係る電池端子が取付けられる電池ホルダ４は、図６及び図７に示すように、ラジオコントロール玩具の基体５に略正方形に形成されており、該電池ホルダ４の相対向する辺には、後述する電池端子１〜３における基板１１，２１，３１を差し込むことで固定可能な溝４１ａが形成された取付用リブ４１が一体的に形成されている。
【００１７】
また、電池ホルダ４の底部４２には、乾電池Ａの側面形状に合致した形状を有する複数の凹部からなる横リブ４２ａが形成されている。そして、この横リブ４２ａの凹部によって収納される乾電池Ａは横方向にずれることなく安定的に収納される。なお、本実施例にあっては横方向に４列、縦方向に２列、計８本が規則正しく収納できるようになっている。
【００１８】
次に、＋端子と−端子を一体に形成した第１の電池端子１の具体例を図１〜図３と共に説明する。この電池端子１は一枚の導電性金属板（銅金属板）をプレス加工によって基板１１から＋端子１２と−端子１３とを一体に形成したものであり、＋端子１２は裏面側から表面側に突出して円錐台状の凸部１２ａを形成すると共に、該凸部１２ａに貫通孔１２ｂを形成しながら表面側から裏面側に窪ませて、乾電池Ａの＋極の円周部が接触する円錐状の接触部１２ｃを形成したものである。
【００１９】
このように＋端子１２の接触部１２ｃに乾電池Ａの＋極とを接触させることで、接触部１２ｃと乾電池の＋極とは線接触状態となる。これにより、乾電池の＋極との間における接触面積が増加して接触抵抗が小さくな電気的に安定した接続状態となり、かつ、振動等の外乱を受けた場合であっても、乾電池の＋極と＋端子とがずれ難く、安定した接触を得ることができる。
【００２０】
次に、電池端子１における−端子１３について説明するに、該−端子１３は、前記基板１１に前記＋端子から乾電池１個分から離れた位置に形成されるが、その形状は、基板１１における長手方向の辺から延長して短冊状の突片１３ａとなっている。そして、突片１３ａは第１の折曲部１３ａ1 によって表面側に折り曲げられると共に、該折り曲げられた途中から第２の折曲部１３ａ2 によってさらに表面側に折り曲げられて乾電池Ａの−極との接触部１３ｂとなり、また、該接触部１３ｂから先端側において第３の折曲部１３ａ3 によって、基板１１と略直交するように折り曲げられてストッパ部１３ｃとなっている。
【００２１】
さらに、−端子１３に接触部１３ｂより第１の折曲部１３ａ1 側に近い位置からストッパ部１３ｃにわたって複数（実施例では２本）のスリット１３ｄを形成して、−端子１３の接触部１３ｂが分割（実施例においては３本）されている。このように接触部１３ｂを分割することにより、該接触部１３ｂの何れかに歪みやヘタリが生じた場合でも、残りの接触部１３ｂが乾電池Ａの−極と接触するので接触不良を起こすことがなく、かつ、一定の圧力を維持でき、安定した接触を持続できる。
【００２２】
さらに、前記した−端子１３にあっては、ストッパ部１３ｃが基板１１に対して略垂直となるように折り曲げられていることにより、乾電池Ａを電池ホルダ４に収納する際に乾電池Ａの−極が接触部１３ｂを押圧して−端子１３が歪められても、ストッパ部１３ｃの先端が基板１１に当接して必要以上に歪められることがなく、また、繰返し使用によるヘタリも少なくなる。従って、−端子１３の弾性力が弱められることがなく、電池端子間に収納される乾電池Ａに対して一定の圧力を維持でき、安定した接触状態を持続できるものである。
【００２３】
前記した実施例は＋端子と−端子とが一体的に形成された電池端子の場合について説明したが、＋端子と−端子を独立して形成した実施例を図４及び図５と共に説明する。
この電池端子２，３は、前記した電池端子１を＋端子１２と−端子１３とに分割したものであって、＋端子２は前記したと同様に、基板２１に凸部２２と、貫通孔２３と、接触部２４を形成したものである。また、−端子３も前記した電池端子１の−端子１３と同様に、基板３１に突片３２、接触部３３、ストッパ部３４およびスリット３５を形成したものである。なお、２５，３５は負荷（モータ等）をリード線を介して接続するためのリード端子である。
【００２４】
このように構成した電池端子１〜３は図６、図７に示すように、電池端子１〜３における基板１１，２１，３１を電池ホルダ４に形成した取付用リブ４１の溝４１ａに差し込んで固定することで、該電池ホルダ４内に収納される乾電池Ａの＋極も−極も線接触状態で接触するので、接触抵抗が小さくなると共に振動等の外乱を受けた場合であっても、＋端子が乾電池の＋電極と安定した接触を得ることができる。
【００２５】
なお、前記した実施例にあっては、電池端子における＋端子１２，２を形成する際に、貫通孔１２ｂ，２３の成形を行って接触部１２ｃ，２４を形成した場合について説明したが、貫通孔１２ｂ，２３は必ずしも必要ではなく、凸部１２ａ，２２の表面側から裏面側に向けて窪ませて接触部１２ｃ，２４を形成して、乾電池Ａの＋極の円周部とが線接触することが必要条件である。
【産業上の利用可能性】
【００２６】
本発明は、電池ホルダの形式及び電池ホルダを搭載する機器の種別を問わず利用できる。なお、上記実施例においては、電池ホルダの電池収納部に対する電極板の取付けを簡素化する目的から採用される差込式の電池端子を用いたが、電池端子をネジ止めするものであっても利用することができる。また、乾電池を一列に配置するタイプの電池ホルダの場合には、電池端子２，３のみを用いることにより電池回路を構成することもできる。さらに、図示しないが、電池回路が並列の場合には、１枚の金属板に＋端子を２個又は−端子を２個形成しても良いのは当然である。
【図面の簡単な説明】
【００２７】
【図１】電極と−電極とが形成された電池端子の正面図である。
【図２】同上のＡ−Ａ断面図である。
【図３】図１の電池端子の側面図である。
【図４】＋電極のみからなる電池端子の斜視図である。
【図５】−電極のみからなる電池端子の斜視図である。
【図６】電池端子を取付ける電池ホルダの要部分解斜視図である。
【図７】電池端子が取付けられる電池ホルダ有するラジオコントロール玩具の平面図である。
【符号の説明】
【００２８】
１〜３              電池端子
１１，２１，３１    基板
１２                ＋端子
１２ａ，２２        凸部
１２ｂ，２３        貫通孔
１２ｃ，２４        接触部
１３ａ，３２        突片
１３ｂ，３３        接触部
１３ｃ，３４        ストッパ部
１３ｄ，３５        スリット
４                  電池ホルダ
【図１】
2005093363.tif 000003
【図２】
2005093363.tif 000004
【図３】
2005093363.tif 000005
【図４】
2005093363.tif 000006
【図５】
2005093363.tif 000007
【図６】
2005093363.tif 000008
【図７】
2005093363.tif 000009